(57)【要約】【課題】遊技媒体の貸出しの都度、電子マネーを減額することなく、かつ、電子マネーの利用手数料は遊技媒体の貸出し代金に対して徴収するようにして、遊技店が不要な手数料を支払うことを防止した電子マネーを利用した遊技システムにおいて、遊技者が席を離れたときに、台間機を悪意の第三者に勝手に操作されないようにロックして、電子マネー価値を盗難することを防止する電子マネーを利用した遊技システムを提供する。【解決手段】この遊技システム１００は、パチンコホールやパチスロホールなどの遊技店１と、ネットワーク２と、電子マネー決済会社が運営する電子マネー決済センタ３とを備えて構成される。そして遊技店１には、店舗内の電子マネーを管理する電子マネー管理装置４と、パチンコ玉やメダル等を貸出す台間機５と、ローカルネットワーク６と、電子マネー媒体７とを備えて構成される。【選択図】図１
2007089919.tif 000002
【特許請求の範囲】
【請求項１】
電子マネー記憶媒体に記憶されている媒体管理番号及び電子マネー残高を読み出す読出手段と、該読出手段により読み出した電子マネー残高の少なくとも一部を預かり金として前記媒体管理番号と関連付けて記憶する預り金記憶手段と、該預り金記憶手段に記憶した預かり金額を前記電子マネー記憶媒体に記憶されている電子マネー残高から減額する減額手段と、遊技媒体の貸出しを行う場合に前記預かり金記憶手段に記憶された預かり金額から減額する預かり金減額手段と、を備え、
前記電子マネー記憶媒体と関連付けて前記遊技媒体の貸出しを禁止設定できることを特徴とする台間遊技媒体貸出し装置。
【請求項２】
電子マネー記憶媒体に記憶されている媒体管理番号及び電子マネー残高を読み出す読出手段と、該読出手段により読み出した電子マネー残高の少なくとも一部を預かり金として前記媒体管理番号と関連付けて記憶する預り金記憶手段と、該預り金記憶手段に記憶した預かり金額を前記電子マネー記憶媒体に記憶されている電子マネー残高から減額する減額手段と、遊技媒体の貸出しを行う場合に前記預かり金記憶手段に記憶された預かり金額から減額する預かり金減額手段と、前記電子マネー記憶媒体と関連付けて前記遊技媒体の貸出しの禁止を設定する禁止設定手段と、を備え、
前記禁止設定手段により禁止が設定されてから一定時間経過後に自動的に該禁止設定を解除できることを特徴とする台間遊技媒体貸出し装置。
【請求項３】
電子マネー記憶媒体に記憶されている媒体管理番号及び電子マネー残高を読み出す読出手段と、該読出手段により読み出した電子マネー残高の少なくとも一部を預かり金として前記媒体管理番号と関連付けて記憶する預り金記憶手段と、該預り金記憶手段に記憶した預かり金額を前記電子マネー記憶媒体に記憶されている電子マネー残高から減額する減額手段と、遊技媒体の貸出しを行う場合に前記預かり金記憶手段に記憶された預かり金額から減額する預かり金減額手段と、前記電子マネー記憶媒体と関連付けて前記遊技媒体の貸出しの禁止を設定する禁止設定手段と、を備え、
前記電子マネー記憶媒体と関連付けて前記禁止設定を解除できることを特徴とする台間遊技媒体貸出し装置。
【発明の詳細な説明】
【技術分野】
【０００１】
本発明は、台間遊技媒体貸出し装置に関し、さらに詳しくは、遊技媒体の貸出しを電子マネーで支払う場合の遊技システムにおける電子マネーの処理方法に関するものである。
【背景技術】
【０００２】
近年、Ｓｕｉｃａ（登録商標）やＥｄｙ（登録商標）等のように、ＩＣカードや携帯電話端末等に電子マネーをチャージしておき、そのＩＣカード等を利用してコンビニエンスストア等で買い物ができるようにした電子マネーシステムが導入されつつある。このような電子マネーシステムでは、例えば買い物をする前にＩＣカード等に電子マネーをチャージし、買い物をしたときにＩＣカード等に記憶された電子マネー残金より減額する方法がとられている。また、電子マネー決済会社は、ＩＣカード等から電子マネーを減額したことを電子マネーを利用した１つの取引と認定し、電子マネーの利用（減額）金額の数％程度を電子マネー利用手数料として減額し、コンビニエンスストア等の電子マネーで支払いを受けた店舗に代金の支払いをする仕組みとなっている。
そして従来よりこのような電子マネーを、パチンコホールやパチスロホールなどの遊技店内の遊技媒体（パチンコ玉やメダル等）の貸出し代金の支払いに使用する方法が知られている。
例えば特許文献１では、ＩＣカードを遊技台と遊技台の間に設置された遊技媒体貸出し用の台間機にある非接触通信部に近づけると、電子マネー残高表示器にＩＣカードに記憶された電子マネー残高が表示され、貸出しスイッチを押すことにより、ＩＣカードに記憶された電子マネー残高をあらかじめ定められた金額分だけ減額し、遊技媒体の貸出しが行われる方法が開示されている。なお、ＩＣカードは遊技媒体の貸出し金額が減額されるまで非接触通信部に近づけておく必要があり、処理の途中でデータ通信が可能な距離からＩＣカードが外れた場合は遊技媒体の貸出しが行われないようになっている。
また特許文献２では、ＩＣカードに記憶された電子マネーの金額を遊技媒体の貸出しに利用されるプリペイド価値に変換し、プリペイド価値より貸出しを行い余ったプリペイド価値を再度、ＩＣカードの電子マネーに変換する方法が開示されている。また、台間機に電子マネーのＩＣカードやプリペイドカードを挿入して上述の変換を行う方法も併せて開示されている。
【特許文献１】特開２００３−４７７５７公報
【特許文献２】特開２００４−２４３０１１公報
【発明の開示】
【発明が解決しようとする課題】
【０００３】
しかしながら特許文献１に開示されている従来技術では、遊技媒体の貸出しの都度、ＩＣカードを台間機に近づける必要があり、遊技中に追加で遊技媒体の貸出しを受ける場合に不便であった。特に、携帯電話端末にチャージされた電子マネーを使用する場合、いちいちポケット等から携帯電話端末を取り出す不便さがあり、また、遊技台の近くに携帯電話端末を置いておくと遊技終了時に持ち帰るのを忘れるという問題があった。
また特許文献２に開示されている従来技術では、ＩＣカードに記憶されている電子マネーをプリペイド価値に変換した時点で、電子マネーを利用した１つの取引が成立したこととなり、電子マネーの手数料が発生する。実際にはプリペイド価値の一部で遊技し、余ったプリペイド価値から電子マネーに変換を行なって精算した場合でも、電子マネー決済会社は当初変換したプリペイド価値に対応する手数料を徴収するため、遊技店は客に精算した分について売上がないのにもかかわらず電子マネー手数料を支払わなければならないという問題が発生する。また、電子マネーからプリペイド価値に変換した後に、他の電子マネーのＩＣカードに入れ替えてしまえば、プリペイド価値から電子マネーに変換することにより、電子マネー価値を贈与したり、トイレ等に行くために一時的に遊技台から離れた隙に電子マネー価値を盗難される可能性があるという問題があった。
本発明はかかる課題に鑑み、遊技媒体の貸出しの都度、電子マネーを減額することなく、かつ、電子マネーの利用手数料は遊技媒体の貸出し代金に対して徴収するようにして、遊技店が不要な手数料を支払うことを防止した電子マネーを利用した遊技システムにおいて、遊技者が席を離れたときに、台間機を悪意の第三者に勝手に操作されないようにロックして、電子マネー価値を盗難することを防止する電子マネーを利用した遊技システムを提供することを目的とする。
また他の目的は、所有している電子マネーを一時的に預かっても、確実に使用しなかった電子マネーが電子マネーの所有者に返金する電子マネーを利用した遊技システムを提供することである。
【課題を解決するための手段】
【０００４】
本発明はかかる課題を解決するために、請求項１は、電子マネー記憶媒体に記憶されている媒体管理番号及び電子マネー残高を読み出す読出手段と、該読出手段により読み出した電子マネー残高の少なくとも一部を預かり金として前記媒体管理番号と関連付けて記憶する預り金記憶手段と、該預り金記憶手段に記憶した預かり金額を前記電子マネー記憶媒体に記憶されている電子マネー残高から減額する減額手段と、遊技媒体の貸出しを行う場合に前記預かり金記憶手段に記憶された預かり金額から減額する預かり金減額手段と、を備え、前記電子マネー記憶媒体と関連付けて前記遊技媒体の貸出しを禁止設定できることを特徴とする。
本発明は、読出手段により読み出した電子マネー記憶媒体に記憶されている媒体管理番号と残高から、遊技をするための預かり金を媒体管理番号に関連付けて預り金記憶手段に記憶し、この預かり金を電子マネー記憶媒体に記憶されている電子マネー残高から減額し、遊技媒体の貸出しを行う場合に預かり金記憶手段に記憶された預かり金から減額する預かり金減額手段を更に備え、席を離れるときに他人に勝手に操作されないように、電子マネー記憶媒体と関連付けて遊技媒体の貸出しを禁止設定できるようにしたものである。
請求項２は、電子マネー記憶媒体に記憶されている媒体管理番号及び電子マネー残高を読み出す読出手段と、該読出手段により読み出した電子マネー残高の少なくとも一部を預かり金として前記媒体管理番号と関連付けて記憶する預り金記憶手段と、該預り金記憶手段に記憶した預かり金額を前記電子マネー記憶媒体に記憶されている電子マネー残高から減額する減額手段と、遊技媒体の貸出しを行う場合に前記預かり金記憶手段に記憶された預かり金額から減額する預かり金減額手段と、前記電子マネー記憶媒体と関連付けて前記遊技媒体の貸出しの禁止を設定する禁止設定手段と、を備え、前記禁止設定手段により禁止が設定されてから一定時間経過後に自動的に該禁止設定を解除できることを特徴とする。
本発明は請求項１に電子マネー記憶媒体と関連付けて遊技媒体の貸出しの禁止を設定する禁止設定手段を更に備え、この禁止設定手段により禁止設定されたまま遊技者が戻ってこない場合、禁止設定されたままとなってしまい、遊技店側はその後の処理ができなくなってしまう。そこで本発明では、禁止設定されてから一定時間後にその設定を自動的に解除できるようにしたものである。
【０００５】
請求項３は、電子マネー記憶媒体に記憶されている媒体管理番号及び電子マネー残高を読み出す読出手段と、該読出手段により読み出した電子マネー残高の少なくとも一部を預かり金として前記媒体管理番号と関連付けて記憶する預り金記憶手段と、該預り金記憶手段に記憶した預かり金額を前記電子マネー記憶媒体に記憶されている電子マネー残高から減額する減額手段と、遊技媒体の貸出しを行う場合に前記預かり金記憶手段に記憶された預かり金額から減額する預かり金減額手段と、前記電子マネー記憶媒体と関連付けて前記遊技媒体の貸出しの禁止を設定する禁止設定手段と、を備え、前記電子マネー記憶媒体と関連付けて前記禁止設定を解除できることを特徴とする。
本発明は禁止設定の解除を一定時間後に自動的に解除した場合、第三者により勝手に使用される危険性がある。そこで本発明では、あくまでも設定禁止の解除は、遊技者自らが行なえるようにしたものである。
【発明の効果】
【０００６】
請求項１の発明によれば、席を離れるときに他人に勝手に操作されないように、電子マネー記憶媒体と関連付けて遊技媒体の貸出しを禁止設定できるので、第三者により無断で遊技媒体を貸出されることを防止することができる。
また請求項２では、禁止設定されてから一定時間後にその設定を自動的に解除できるので、禁止設定されたまま遊技者が戻ってこない場合でも、遊技店側は台間遊技媒体貸出し装置を元の状態に戻すことができる。
また請求項３では、設定禁止の解除は、遊技者自らが行なえるようにしたので、第三者により無断で使用されることを防止することができる。
【発明を実施するための最良の形態】
【０００７】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。尚、本実施形態は電子マネー媒体として、非接触型電子マネー媒体を使用することを前提としている。
図１は本発明にかかわる電子マネーを利用した遊技システムの全体構成を示すブロック図である。この遊技システム１００は、パチンコホールやパチスロホールなどの遊技店１と、ネットワーク２と、電子マネー決済会社が運営する電子マネー決済センタ３とを備えて構成される。そして遊技店１には、店舗内の電子マネーを管理する電子マネー管理装置４と、パチンコ玉やメダル等を貸出す台間機５と、ローカルネットワーク６とを備えており、電子マネー媒体７を所有する客に対してサービスを提供可能としている。
遊技店１はネットワーク２を介して、電子マネー決済会社が運営する電子マネー決済センタ３に接続されている。電子マネー決済センタ３では遊技店１等から送られてきた電子マネー利用データに基づき、電子マネーで遊技媒体貸出し等の代金の支払いを受けた遊技店に、電子マネー利用手数料を減額して、代金を支払う業務を行っている。
また遊技店１内には、店舗内の電子マネーを管理する電子マネー管理装置４と、パチンコ玉やメダル等を貸出す台間機５が設置されており、それらは遊技店内のローカルネットワーク６を介して接続されている。また、７は電子マネー媒体と使用者の少なくともひとつを特定するための媒体管理番号と、電子マネー残高等が記憶されている電子マネー記憶媒体（携帯電話端末やＩＣカード等）を示している。
【０００８】
また本発明における台間機５は、電子マネー記憶媒体７が近づけられたときに、電子マネー記憶媒体７のメモリに記憶されている媒体管理番号と電子マネー残高データを読み出す手段（読出手段）と、電子マネー記憶媒体７から読み出した媒体管理番号を記憶する手段と、電子マネー記憶媒体７から読み出した前記電子マネー残高の少なくとも一部の電子マネー残高を預かり金として記憶する手段（預かり金記憶手段）と、台間機５に預かり金として記憶した電子マネー残高を電子マネー記憶媒体７のメモリに記憶されている電子マネー残高から減額する手段（減額手段）を有する。
また、遊技終了後に台間機５に記憶されている預かり金の残高がある場合は、台間機５のボタンを操作し、預かり金を減額した電子マネー記憶媒体７を近づけることにより、電子マネー記憶媒体７の電子マネー残高に返金する手段（返金手段）を有する。
預かり金を電子マネー記憶媒体７に返金した場合、または預かり金の残高がなくなった場合、台間機５はローカルネットワーク６を介して、電子マネー管理装置４に電子マネー媒体と使用者の少なくともひとつを特定する媒体管理番号と、遊技媒体の貸出しのために使用した電子マネーの利用金額を通知する手段を有する。
また電子マネー管理装置４は台間機５から通知された媒体管理番号と電子マネー利用金額に、電子マネー管理装置４を特定する番号（管理装置番号）等を付加し、ネットワーク２を介して電子マネー決済センタ３に通知する手段を有する。
また電子マネー決済センタ３は、電子マネー管理装置４から通知された管理装置番号より使用店舗を特定し、電子マネー利用金額にあった手数料を減額して、利用代金を使用店舗等に支払う。
【０００９】
図２はＩＣカード等に実装されているメモリのデータ構造（メモリエリア）の一例を示す図である。このＩＣカード（電子マネー記憶媒体）７のＩＣ８内部のメモリには、当該ＩＣカード１であることを特定する媒体管理番号８ａと、使用できる電子マネーの残高である電子マネー残高８ｂと、を記憶している。
媒体管理番号（ＩＤ）８ａは電子マネー記憶媒体を特定するために電子マネー記憶媒体毎にユニークに付与された番号である。また、電子マネー残高８ｂは使用できる電子マネーの残高である。電子マネー記憶媒体７のメモリに少なくとも電子マネー残高８ｂと媒体管理番号８ａを記憶することで、電子マネー利用可能額と媒体の特定が可能となる。また、詳細は省略するが、媒体管理番号と電子マネー発行会社の使用者のデータを照合することにより、使用者を特定することも可能となる。
図３は本発明における台間機の構造の一例を示す図である。５ａはテンキーを、５ｂは操作部を、５ｃは表示部を、５ｄは電子マネー記憶媒体処理部を示している。操作部５ｂは、預かり金確定ボタン５ｂ１、返金ボタン５ｂ２、遊技禁止ボタン５ｂ３、遊技禁止解除ボタン５ｂ４で構成する。またテンキー５ａは、電子マネーの預かり金の金額を指定するためのものである。表示部５ｃは、電子マネーの預かり金額等を表示するためのものである。電子マネー記憶媒体処理部５ｄは、電子マネー記憶媒体７を近づけられた時に電子マネー記憶媒体に記憶されているデータの読込み・書込み、およびデータの解析等の処理を行うものである。また、テンキー５ａは、電子マネーの預かり金の金額指定ができる手段の一例を示しており、テンキーの構造に固定するものではなく、例えば、１００００円、５０００円等の金額ボタンとしてもいい。さらに、電子マネーの預かり金を、例えば、残高全額や１００００円等であらかじめ固定的にすれば、テンキーや金額ボタン等の電子マネー預かり金の指定手段は、実装しなくてもかまわない。操作部５ｂは、預かり金確定操作の手段、預かり金の返金操作の手段、遊技禁止操作の手段、遊技禁止解除操作の手段の一例を示しており、ボタンの構成等を固定するものではなく、例えば、遊技禁止操作の手段と、遊技禁止解除操作の手段を１つのボタンで実現してもかまわない。
【００１０】
図４は本発明における台間機のブロック構成例を示す図である。同じ構成要素には図３と同じ参照番号を付して説明する。テンキー部５ａは、電子マネーの預かり金の金額を指定するためのものである。操作部５ｂは預かり金確定操作の手段、預かり金の返金操作の手段を有するブロックである。表示部５ｃは数字表示機（７セグメント）やＬＥＤ等で構成され、電子マネーの預かり金額の表示手段を有するブロックである。電子マネー記憶媒体処理部５ｄは、アンテナとデータ送受信回路等で構成され、電子マネー記憶媒体７を近づけたときに、電子マネー記憶媒体７に記憶されている媒体管理番号８ａと電子マネー残高８ｂ等のデータを読み出す手段と、読み出した前記データを制御部５ｅに通知する手段と、制御部５ｅから通知された電子マネー残高データ等を電子マネー記憶媒体７に書き込む手段を有するブロックである。制御部５ｅはマイクロプロセッサ等が実装され、台間機５の制御処理を行うブロックである。電子マネー一時預かり部５ｆは、不揮発性メモリ等で構成され、媒体管理番号と電子マネー預かり金額等のデータを記憶しておくブロックである。遊技媒体貸出し部５ｇは、パチンコ玉やメダル等の遊技媒体を貸し出す手段を有するブロックである。例えば、ＣＲ遊技機の場合は、ＣＲ遊技機と接続され、ＣＲ遊技機より通知された貸出し要求信号に基づき、ＣＲ遊技機に遊技媒体の貸出し指示信号を送出する。日付時刻部５ｈは、電子マネー使用履歴や遊技禁止時間等を管理するための台間機内での日付、時刻等の時間管理手段を有するブロックである。通信部５ｉは、ローカルネットワーク６を介して電子マネー管理装置４と、電子マネー使用金額や使用履歴等を通信する手段を有するブロックである。
図５は台間機の電子マネー一時預かり部内に実装されたメモリ構造の一例を示す図である。媒体管理番号５ｆ１は、電子マネー媒体から読み出した媒体管理番号を記憶するメモリである。電子マネー預かり金額５ｆ２は、電子マネーの預かり金額の残高を記憶するメモリである。電子マネー使用金額５ｆ３は、遊技媒体の貸出しに使用した電子マネーの金額を記憶するメモリである。遊技媒体貸出し可否フラグ５ｆ４は、電子マネー預かり金の使用を許可・禁止するためのフラグを記憶するメモリである。貸出し禁止解除時間５ｆ５は、電子マネー預かり金の使用を禁止する時間を制限する場合にタイマー値を記憶するメモリである。
【００１１】
図６は電子マネー預かり金の使用禁止設定の動作例を示すフローチャートである。トイレ等に行くために遊技中に遊技台を一時的に離れたい遊技者は、離席中に電子マネー預かり金を他人に使用されないようにするため、遊技禁止ボタン５ｂ３を押下し（Ｓ１）、電子マネー記憶媒体を台間機に近づける（Ｓ２）。
台間機の電子マネー記憶媒体処理部５ｄは電子マネー記憶媒体より媒体管理番号８ａを読出し（Ｓ３）、制御部５ｅに通知する。制御部では読み出した媒体管理番号と電子マネー一時預かり部５ｆに記憶されている媒体管理番号５ｆ１を確認し（Ｓ４）、一致していた場合（Ｓ５でＹＥＳのルート）に、電子マネー一時預かり部５ｆの遊技媒体貸出し可否フラグ５ｆ４を禁止に、貸出し禁止解除時間５ｆ５に禁止時間を記憶する（Ｓ６）。そして遊技者は電子マネー記憶媒体を台間機よりはなす操作を行う（Ｓ７）。
Ｓ４の媒体管理番号の確認で不一致だった場合（Ｓ５でＮＯのルート）は、遊技媒体貸出し可否フラグに禁止を記憶する動作は行わない。なお、動作フローでは省略しているが、貸出し禁止解除時間５ｆ５に記憶する禁止時間はあらかじめ定めておき、無限大（時間解除無し）としてもかまわない。
図７は電子マネー預かり金の使用禁止解除設定の動作フロー例を示している。
遊技者が電子マネー預かり金の使用禁止中に遊技を再開したい場合、遊技禁止解除ボタン５ｂ４を押下し（Ｓ１０）、電子マネー記憶媒体を台間機に近づける（Ｓ１１）。台間機の電子マネー記憶媒体処理部５ｄは電子マネー記憶媒体より媒体管理番号５ｆ１を読出し（Ｓ１２）、制御部５ｅに通知する。制御部では読み出した媒体管理番号と電子マネー一時預かり部５ｆに記憶されている媒体管理番号５ｆ１を確認し（Ｓ１３）、一致していた場合（Ｓ１４でＹＥＳのルート）に、電子マネー一時預かり部５ｆの遊技媒体貸出し可否フラグ５ｆ４を許可に記憶し、貸出し禁止解除時間５ｆ５を初期化する（Ｓ１５）。遊技者は電子マネー記憶媒体を台間機よりはなす操作を行う（Ｓ１６）。
Ｓ１４の媒体管理番号の確認で不一致だった場合（Ｓ１４でＮＯのルート）は、遊技媒体貸出し可否フラグに許可を記憶する動作は行わない。
以上、図６、図７で説明した方法で、遊技者が一時的に遊技台を離れても、台間機に預けた電子マネー価値の盗難を防止することが可能である。
【００１２】
以上の通り本発明によれば、席を離れるときに他人に勝手に操作されないように、電子マネー記憶媒体７と関連付けて遊技媒体の貸出しを禁止設定できるので、第三者により無断で遊技媒体を貸出されることを防止することができる。
また、禁止設定されてから一定時間後にその設定を自動的に解除できるので、禁止設定されたまま遊技者が戻ってこない場合でも、遊技店側は台間遊技媒体貸出し装置を元の状態に戻すことができる。
また、設定禁止の解除は、遊技者自らが行なえるようにしたので、第三者により無断で使用されることを防止することができる。
【図面の簡単な説明】
【００１３】
【図１】本発明にかかわる電子マネーを利用した遊技システムの全体構成を示すブロック図である。
【図２】ＩＣカード等に実装されているメモリのデータ構造（メモリエリア）の一例を示す図である。
【図３】本発明における台間機の構造の一例を示す図である。
【図４】本発明における台間機のブロック構成例を示す図である。
【図５】台間機の電子マネー一時預かり部内に実装されたメモリ構造の一例を示す図である。
【図６】電子マネー預かり金の使用禁止設定の動作例を示すフローチャートである。
【図７】電子マネー預かり金の使用禁止解除設定の動作例を示すフローチャートである。
【符号の説明】
【００１４】
１  遊技店、２  ネットワーク、３  電子マネー決済センタ、４  電子マネー管理装置、５  台間機、６  ローカルネットワーク、７  電子マネー媒体、１００  遊技システム
【図１】
2007089919.tif 000003
【図２】
2007089919.tif 000004
【図３】
2007089919.tif 000005
【図４】
2007089919.tif 000006
【図５】
2007089919.tif 000007
【図６】
2007089919.tif 000008
【図７】
2007089919.tif 000009